(57)【要約】【課題】  知人と不審者との識別結果から、記憶媒体へ記憶するデータ量を変更することを目的とする。【解決手段】  本発明の電子機器は、撮像部１２０で撮像した画像から人の顔を抽出し、認証する画像認証部１４０と、認証結果に応じて撮像した画像のデータ量を最適に変更する画像変更部１４２と、画像変更部１４２が変更した画像を記憶する画像記憶部１５４と、を備えることを特徴としている。【選択図】    図２
2009081657.tif 000002
【特許請求の範囲】
【請求項１】
撮像部で撮像した画像から人の顔を抽出し、認証する画像認証部と、
前記認証結果に応じて前記撮像した画像のデータ量を最適に変更する画像変更部と、
前記画像変更部が変更した画像を記憶する画像記憶部と、
を備えることを特徴とする、電子機器。
【請求項２】
前記画像変更部は、前記画像認証部が抽出した人の顔を予め登録された既知の顔であると認証した場合、画像のデータ量を少なくすることを特徴とする、請求項１に記載の電子機器。
【請求項３】
前記画像変更部は、前記画像認証部が抽出した人の顔を予め登録された既知の顔と認証できなかった場合、画像のデータ量を多くすることを特徴とする、請求項１または２に記載の電子機器。
【請求項４】
前記画像変更部は、前記画像認証部が人の顔を抽出できなかった場合、画像記憶部に画像を記憶させないことを特徴とする、請求項１〜３のいずれか１項に記載の電子機器。
【請求項５】
指紋認証部、静脈認証部、虹彩認証部の群から選択される１または２以上の認証部をさらに含むことを特徴とする、請求項１〜４のいずれか１項に記載の電子機器。
【請求項６】
前記指紋認証部、静脈認証部、虹彩認証部の群から選択される１または２以上の認証部のいずれかにより、予め登録された人物であると認証した場合、前記画像記憶部に記憶する画像データを少なくする、または前記画像記憶部に画像を記憶しないことを特徴とする、請求項５に記載の電子機器。
【請求項７】
前記画像変更部を有効にするか否かの設定を変更可能であることを特徴とする、請求項１〜６のいずれか１項に記載の電子機器。
【請求項８】
照度が低いことによって人の顔を前記画像認証部が抽出できなかった場合人の方向を照らす照明をさらに備えることを特徴とする、請求項１〜７のいずれかに記載の電子機器。
【請求項９】
音声入力部で入力された音声から人の声を抽出し、認証する音声認証部と、
前記認証結果に応じて前記入力された音声のデータ量を最適に変更する音声変更部と、
前記音声変更部が変更した音声を記憶する音声記憶部と、
を備えることを特徴とする、電子機器。
【発明の詳細な説明】
【技術分野】
【０００１】
本発明は、撮像された画像や入力された音声を記憶する電子機器に関する。
【背景技術】
【０００２】
ドアホンは、訪ねてきた人の声を通じてその人が誰であるかを確認することができる電子機器である。近年では、さらに、テレビドアホンや防犯カメラ等、訪ねてきた人を、カメラを通じて確認する電子機器も普及し、直接対面することなく、撮像された画像や入力された音声から人に関する情報を把握することが可能となった。また、このようなカメラで撮像された画像やマイクに入力された音声は、データとして内蔵または外付けされた記憶媒体、例えばビデオテープやハードディスク等に記憶することが可能となった（例えば、特許文献１）。
【０００３】
一方、上述した従来の電子機器では、撮像された画像や入力された音声をデータとしてそのまま記憶媒体に記憶させることができるが、長時間単純に記憶するだけでは、すぐに記憶媒体がいっぱいになってしまう。また、人物を特定させるための認証を受けたとしても、かかる認証部が記憶媒体とは独立した機構なので、その認証結果が画像または音声の記憶に影響することはなかった。
【特許文献１】特開平１−１９５７８５号公報
【発明の開示】
【発明が解決しようとする課題】
【０００４】
上述した従来の電子機器は、撮像された画像や入力された音声をデータとしてそのまま記憶媒体へ記憶させることしかできず、撮像された画像の質や入力された音声の質を変更する機能を有していなかった。従って、訪ねてきた人が知人であっても不審者であっても同画質による記憶が為され、記憶媒体がすぐにいっぱいになっていた。
【０００５】
また、画質を変更しない単純な記憶では、詳細に確認したい画面や音声が、鮮明な状態にない場合が生じ、確認したい状況を認識できず、せっかくの記憶内容が無駄になることもあった。
【０００６】
また、データ中に不要な画像や音声が含まれていても、ユーザは全ての記憶内容を確認しなくてはならず、無駄な時間を費やすこととなっていた。
【０００７】
このような必要なデータと不要なデータは、区別されないで記録媒体へ記憶されるため、記憶媒体の記憶領域が有効に活用されていなかった。
【０００８】
本発明は、従来の技術が有する上記問題に鑑みてなされたものであり、本発明の目的は、知人と他人との識別結果から、記憶媒体へ記憶するデータ量を適切な量に変更し、記憶媒体の記憶領域を有効活用することが可能な電子機器を提供することである。
【課題を解決するための手段】
【０００９】
上記課題を解決するにあたり、本発明のある観点によれば、撮像部で撮像した画像から人の顔を抽出し、認証する画像認証部と、認証結果に応じて撮像した画像のデータ量を最適に変更する画像変更部と、画像変更部が変更した画像を記憶する画像記憶部と、を備えることを特徴とする、電子機器が提供される。
【００１０】
かかる構成により、認証結果に応じて記憶する画像のデータ量を調整することが可能となり、その画像の要否によって記憶媒体の占有領域を変えることができる。従って、記憶媒体の記憶領域を有効に利用可能となる。
【００１１】
ここで、画像変更部は、画像認証部が抽出した人の顔を予め登録された既知の顔であると認証した場合、画像のデータ量を少なくしてもよい。
【００１２】
画像認証部が抽出した人が予め登録された既知の顔、例えば、家族や知人であった場合、その画像を詳細に記憶する必要性が少なくなる。従って、人の顔が既知の顔であった場合、画像のデータ量を少なくすることで、記憶媒体の記憶容量を大幅に削減することが可能となる。
【００１３】
画像変更部は、画像認証部が抽出した人の顔を予め登録された既知の顔と認証できなかった場合、画像のデータ量を多くしてもよい。
【００１４】
画像認証部が抽出した人が予め登録された既知の顔ではない、例えば、他人や不審者であった場合、その者の顔や動作を確実に認識するため、その画像をさらに詳細に記憶する必要性が生じる。従って、人の顔が既知の顔と認証できなかった場合、画質を高める等画像のデータ量を多くすることで、その他人の特徴や動作を詳細に記憶することが可能となる。
【００１５】
画像変更部は、画像認証部が人の顔を抽出できなかった場合、画像記憶部に画像を記憶させなくてもよい。
【００１６】
本発明の目的が人の顔や動作の記憶である場合、その人の顔を抽出できない間の画像の記憶を停止することで、その分の記憶容量を削減できる。また、人の顔を抽出できていない価値のない画像データを省略することで、ユーザはその不要な画像の確認に無駄な時間を費やさずに済む。
【００１７】
電子機器は、指紋認証部、静脈認証部、虹彩認証部の群から選択される１または２以上の認証部をさらに含んでもよい。また、上記画像認証部と置き換えて利用することもできる。
【００１８】
かかる指紋認証部、静脈認証部、虹彩認証部等により、画像による認証だけでなく、訪ねてきた人を様々な認証を通じて特定でき、認証手段を選択したり、１つの認証がうまくいかなかったとき他の認証を併用し互いに補完し合うことが可能となる。
【００１９】
指紋認証部、静脈認証部、虹彩認証部の群から選択される１または２以上の認証部のいずれかにより、予め登録された人物であると認証した場合、画像記憶部に記憶する画像データを少なくする、または画像記憶部に画像を記憶しないとしてもよい。
【００２０】
指紋認証部、静脈認証部、虹彩認証部等の生態認証部が抽出した人が予め登録された既知の顔であった場合にも、その画像を詳細に記憶する必要性が少なくなる。従って、人の顔が既知の顔であった場合、画像のデータ量を少なくする、または画像データを記憶しないとすることで、記憶媒体の記憶容量を大幅に削減することが可能となる。
【００２１】
画像変更部を有効にするか否かの設定を変更可能であってもよい。ユーザは、画像変更部を利用するかどうか、即ち、本発明の記憶媒体の有効利用機能を利用するかどうかを選択することができる。かかる構成により、ユーザの所望する記憶形式で、画像を記憶することが可能となる。
【００２２】
照度が低いことによって人の顔を画像認証部が抽出できなかった場合人の方向を照らす照明をさらに備えてもよい。
【００２３】
ここでは、例えば、照度センサによって照度を測定し、人の顔を抽出することが困難と判断したとき、その人の顔を判断できるように照らす。かかる構成により、照度の高低に拘わらず、確実に人を認識することが可能となる。
【００２４】
音声入力部で入力された音声から人の声を抽出し、認証する音声認証部と、認証結果に応じて入力された音声のデータ量を最適に変更する音声変更部と、音声変更部が変更した音声を記憶する音声記憶部と、を備えることを特徴とする、電子機器が提供される。
【００２５】
かかる構成により、認証結果に応じて記憶する音声のデータ量を調整することが可能となり、その音声の要否によって記憶媒体の占有領域を変えることができる。従って、記憶媒体の記憶領域を有効に利用可能となる。
【００２６】
上述した画像を記憶する電子機器における技術的思想に対応する構成要素やその説明は、当該音声を記憶する電子機器にも適用可能である。
【発明の効果】
【００２７】
以上説明したように本発明は、知人と不審者との識別結果から、記憶媒体へ記憶するデータ量を変更し、記憶媒体の記憶領域を有効活用することが可能となる。
【発明を実施するための最良の形態】
【００２８】
以下に図面を参照しながら、本発明の好適な実施の形態について詳細に説明する。なお、本明細書及び図面において、実質的に同一の機能構成を有する構成要素については、同一の符号を付することにより重複説明を省略する。
【００２９】
（第１の実施形態）
本実施形態は、撮像された人の画像をドアホン表示部に表示すると共に、その撮像された人物が、知人（既知の人）であるか、他人（既知でない人）であるかの識別結果を用いて、その取得したデータを効率よく記憶媒体に記憶することを目的としている。本実施形態は、テレビドアホン、防犯カメラ、携帯端末等の様々な電子機器に適用可能であるが、ここでは理解を容易にするためテレビドアホンを例に挙げて説明する。
【００３０】
図１は、テレビドアホン１００の配置を示した説明図、図２は、テレビドアホン１００の概略的な構成を説明するためのブロック図、図３は、テレビドアホン１００の利用形態を説明するための外観斜視図である。かかるテレビドアホン１００は、図１に示すように、屋外に配され訪ねて来た人と接する屋外筐体部１１０と、屋内に配され屋外筐体部１１０に有線または無線で接続される屋内筐体部１１２とから成る。
【００３１】
上述した屋外筐体部１１０は、撮像部１２０と、屋外音声入力部１２２と、屋外音声出力部１２４と、指紋静脈取得部１２６と、呼び鈴部１２８と、照明部１３０と、照度センサ部１３２と、を含んで構成されている。
【００３２】
上記撮像部１２０は、ＣＣＤ（Charge Coupled Device）やＣＭＯＳ（Complementary Metal Oxide Semiconductor）等の映像素子で構成されており、訪ねてきた人の顔の画像または人の虹彩の画像を撮像できるように配置されている。
【００３３】
上記屋外音声入力部１２２は、マイク等で構成され、訪ねてきた人が発する音声を集音する。
【００３４】
上記屋外音声出力部１２４は、スピーカ等で構成され、屋内筐体部１１２から送信された音声信号を音声に変換して出力する。
【００３５】
上記指紋静脈取得部１２６は、訪ねてきた人の指の指紋または指の静脈を取得する。
【００３６】
上記呼び鈴部１２８は、訪ねてきた人に押下されることにより、屋内筐体部１１２において、ブザーや鐘等の音を出させ、訪ねてきた人の存在を報知する。
【００３７】
上記照明部１３０は、蛍光灯やＬＥＤ(Light Emitting Diode)等で構成され、訪ねてきた人の顔に照明を当て、撮像するための光が不足している場合にその照明によって撮像を補う。
【００３８】
上記照度センサ部１３２は、照度が低いことにより訪ねてきた人の顔を十分に認識できないといった状況を回避するため、屋外筐体部１１０周囲の照度を測定する。
【００３９】
画像認証部１４０が、照度が低いことによって人の顔を抽出できなかった場合、後述する屋内筐体部１１２の屋内制御部１３８が照明の有無を判断し、照度が所定値以下であれば、照明部１３０による照明を行う。かかる構成により、照度の高低に拘わらず、確実に人の顔を認識することが可能となる。
【００４０】
また、屋内筐体部１１２は、屋内制御部１３８と、画像記憶部１５４と、音声記憶部１５６と、ドアホン表示部１５８と、屋内音声入力部１６０と、屋内音声出力部１６２と、受付部１６４とを含んで構成される。
【００４１】
上記屋内制御部１３８は、中央処理装置（ＣＰＵ）を含む半導体集積回路によりテレビドアホン１００全体を管理および制御する。また、屋内制御部１３８は、画像認証部１４０、画像変更部１４２、音声認証部１４４、音声変更部１４６、指紋認証部１４８、静脈認証部１５０、虹彩認証部１５２としても機能する。各要素は後程詳述する。
【００４２】
上記画像記憶部１５４は、ＲＯＭ、ＲＡＭ、ＥＥＰＲＯＭ、不揮発性ＲＡＭ、フラッシュメモリ、ＨＤＤ等で構成され、訪ねてきた人の画像情報を記憶する。また、後述する画像認証部１４０で認証される既知の人の顔データが、撮像部１２０の画像と比較できる態様で予め登録されている。
【００４３】
上記音声記憶部１５６は、画像記憶部１５４同様、ＲＯＭ、ＲＡＭ、ＥＥＰＲＯＭ、不揮発性ＲＡＭ、フラッシュメモリ、ＨＤＤ等で構成され、訪ねてきた人の音声情報を記憶する。また、後述する音声認証部１４４で認証される既知の人の音声データが、屋外音声入力部１２２の音声と比較できる態様で予め登録されている。音声記憶部１５６は、記憶媒体そのもの、または記憶媒体の一部であってもよく、画像記憶部１５４と記憶媒体を共有することもできる。
【００４４】
上記ドアホン表示部１５８は、液晶ディスプレイ、ＥＬ(Electro Luminescence)、ＰＤＰ(Plasma Display Panel)等で構成され、屋外筐体部１１０の撮像部１２０から送信された画像データを表示する。
【００４５】
上記屋内音声入力部１６０は、マイク等の音声認識装置で構成され、音声入力部として機能し、訪ねてきた人に対応する自己の音声を集音する。
【００４６】
上記屋内音声出力部１６２は、屋外音声入力部１２２で集音された音声を屋内の人が聴音できるよう出力する。
【００４７】
上記受付部１６４は、呼び鈴部１２８に応答するスイッチであり、かかる受付部１６４の１回目の押下で、屋外と屋内との通信が開始され、２回目の押下で通信が切断される。従って、ユーザは、呼び鈴部１２８により人が訪ねてきたのを把握すると、受付部１６４を押して通話を開始し、通話が終わると再度受付部１６４を押して通話を切断する。
【００４８】
また、上述した屋内制御部１３８の各要素は、以下のように機能する。
【００４９】
上記画像認証部１４０は、撮像部１２０で撮像された人の顔が、画像記憶部１５４に登録された知人の顔と合致するかどうかを認証する。
【００５０】
上記画像変更部１４２は、画像認証部１４０が認証した結果に応じて、画像のデータ量を変更し、画像記憶部１５４に記憶する。かかる構成により、認証結果に応じて記憶する画像のデータ量を調整することが可能となり、その画像の要否によって記憶媒体の占有領域を変えることができる。従って、画像記憶部１５４の記憶領域を有効に利用可能となる。
【００５１】
図４は、画像変更部１４２の処理を詳細に説明するためのフローチャートである。本実施形態によるテレビドアホン１００は、基本的に、撮像部１２０によって撮像された画像をドアホン表示部１５８に表示しつつ、屋内筐体部１１２に設けられた画像記憶部１５４にその画像を記憶している。
【００５２】
画像認証部１４０は、撮像部１２０で撮像した画像から人の顔を抽出する（Ｓ１８０）。そして、画像認証部１４０が人の顔を抽出できたかどうか判断され（Ｓ１８２）、抽出できなかった場合、例えば、画像内に人が存在しなかった場合、画像記憶部１５４に画像を記憶しないで、当該処理を繰り返す。
【００５３】
人の顔を抽出できない間の画像の記憶を停止する上記の工程により、その分の記憶容量を削減できる。また、人の顔を抽出できていない価値のない画像データを省略することで、ユーザはその不要な画像の確認に無駄な時間を費やさずに済む。
【００５４】
上記の人の顔の判断（Ｓ１８２）で、人の顔を抽出できた場合、次にその人の顔が既知の顔であるかどうかが判断される（Ｓ１８４）。このとき、上記画像データにおける人の顔が小さい場合や大き過ぎてはみ出している場合は、撮像部１２０をズームイン、もしくはズームアウトをし、適切な大きさに調整することも可能である。かかる判断（Ｓ１８４）で既知の顔であると判断された場合、画像データの小容量化が図られ（Ｓ１８６）、その画像データが画像記憶部１５４に記憶される（Ｓ１８８）。
【００５５】
かかる画像データの小容量化は、例えば、取得した画像をフィルタリングして解像度を下げたり、画像の彩色量を減少させたり、取得した画像を間引いて一定時間毎のみ記憶したり、画像を静止画にしたり、画像を全く記憶しなかったり、登録された既知の人の名前等のみをテキストとして記憶したりと、様々な対応を適用することが可能である。
【００５６】
このように、画像認証部１４０が抽出した人が予め登録された既知の顔、例えば、家族や知人であった場合、その画像を詳細に記憶する必要性が少なくなる。従って、人の顔が既知の顔であった場合、画像のデータ量を少なくすることで、画像記憶部１５４の記憶容量を大幅に削減することが可能となる。
【００５７】
また、既知の顔であるかどうかの判断（Ｓ１８４）で既知の顔と判断されなかった場合、人の顔が把握し易いように画像データを大容量化する（Ｓ１９０）。そして画像データが画像記憶部１５４に記憶される（Ｓ１８８）。
【００５８】
かかる画像データの大容量化は、例えば、取得した画像をフィルタリング（スムージング）して解像度を上げたり、画像の彩色量を増加させたり、画像のサンプリングを増やしたり、撮像部１２０の解像度が可変である場合にその解像度を上げたり、本来解像度を所定圧縮率で下げて記憶しているところ圧縮率を上げて記憶したりと、様々な対応を適用することが可能である。
【００５９】
このように、画像認証部１４０が抽出した人が予め登録された既知の顔ではない、例えば、他人や不審者であった場合、その者の顔や動作を確実に認識するため、その画像をさらに詳細に記憶する必要性が生じる。従って、人の顔が既知の顔と判断されなかった場合、画質を高める等画像のデータ量を多くすることで、その他人の特徴や動作を詳細に記憶することが可能となる。
【００６０】
上記音声認証部１４４は、屋外音声入力部１２２が取得した人の音声が、音声記憶部１５６に登録された知人の音声と合致するかどうかを認証する。
【００６１】
上記音声変更部１４６は、音声認証部１４４が認証した結果から、音声のデータ量を変更し、音声記憶部１５６に記憶する。
【００６２】
図５は、音声変更部１４６の処理を詳細に説明するためのフローチャートである。ここで、テレビドアホン１００は、上述した撮像した画像を記憶する機能に加えて、屋外音声入力部１２２によって集音された音声を屋内音声出力部１６２に出力しつつ、屋内筐体部１１２に設けられた音声記憶部１５６にその音声を記憶している。
【００６３】
音声認証部１４４は、屋外音声入力部１２２で集音した音声から人の音声を抽出する（Ｓ２００）。そして、音声認証部１４４が人の音声を抽出できたかどうか判断され（Ｓ２０２）、抽出できなかった場合、例えば、集音された音声内に肉声が存在しなかった場合、音声記憶部１５６に音声を記憶しないで、当該処理を繰り返す。
【００６４】
かかる工程により、その人の音声を抽出できない間の音声の記憶を停止することで、その分の記憶容量を削減できる。また、人の音声を抽出できていない価値のない音声データを省略することで、ユーザはその不要な音声の確認に無駄な時間を費やさずに済む。
【００６５】
上記の人の音声の判断（Ｓ２０２）で、人の音声を抽出できた場合、次にその人の音声が既知の音声であるかどうかが判断され（Ｓ２０４）、既知の音声であると判断された場合、音声データの小容量化が図られる（Ｓ２０６）。そして、小容量化された音声データが音声記憶部１５６に記憶される（Ｓ２０８）。
【００６６】
かかる音声データの小容量化は、例えば、サンプリング周波数を低くしたり、分解能を下げたり、音声の録画を全く記憶しなかったりと、様々な対応を適用することが可能である。
【００６７】
このように、音声認証部１４４が抽出した人が予め登録された既知の音声、例えば、家族や知人であった場合、その音声を詳細に記憶する必要性が少なくなる。従って、人の音声が既知の音声であった場合、音声のデータ量を少なくすることで、音声記憶部１５６の記憶容量を大幅に削減することが可能となる。
【００６８】
また、既知の音声であるかどうかの判断（Ｓ２０４）で既知の音声と判断されなかった場合、人の音声が把握し易いように音声データを大容量化する（Ｓ２１０）。そして、大容量化された音声データが音声記憶部１５６に記憶される（Ｓ２０８）。
【００６９】
かかる音声データの大容量化は、例えば、サンプリング周波数を低くしたり、分解能を上げたりと、様々な対応を適用することが可能である。
【００７０】
このように、音声認証部１４４が抽出した人が予め登録された既知の音声ではない、例えば、他人や不審者の音声であった場合、その者の声質を確実に認識するため、その音声をさらに詳細に記憶する必要性が生じる。従って、人の音声が既知の音声と判断されなかった場合、音声のデータ量を多くすることで、その他人の声質や声色を詳細に記憶することが可能となる。
【００７１】
上記指紋認証部１４８は、ユーザが指紋静脈取得部１２６に指をかざすことによって取得された指紋が、画像記憶部１５４に登録された知人の指紋と合致するかどうかを認証する。
【００７２】
上記静脈認証部１５０は、ユーザが指紋静脈取得部１２６に指をかざすことによって取得された静脈が、画像記憶部１５４に登録された知人の静脈と合致するかどうかを認証する。
【００７３】
上記虹彩認証部１５２は、ユーザが撮像部１２０に目の位置を合わせることによって取得された眼球の黒目に現れる皺が、画像記憶部１５４に登録された知人の虹彩と合致するかどうかを認証する。
【００７４】
指紋認証部１４８、静脈認証部１５０、虹彩認証部１５２等の生態認証部は、訪ねた人が既知の人かどうか判断するという点で、上述した画像認証部１４０や音声認証部１４４と置き換えることができ、図４や図５のフローチャートの判断にも用いることができる。
【００７５】
ここで、指紋認証部１４８、静脈認証部１５０、虹彩認証部１５２のいずれかにより、予め登録された人物であると認証した場合、上述した実施形態同様、画像記憶部１５４に記憶する画像データを少なくする、または画像記憶部１５４に画像を記憶しないとしてもよい。
【００７６】
（第２の実施形態）
第１の実施形態で説明したテレビドアホン１００は、例えば、屋内のリビングに固定設置されるので、人が訪ねてきたときには、わざわざそのテレビドアホン１００の設置位置まで行かなければ訪ねてきた人を確認できなかった。第２の実施形態では、テレビドアホン１００に表示している画像や出力している音声を、ユーザが携帯する携帯端末に伝送し、ユーザは、手元にある携帯端末上で画像や音声を確認できる。
【００７７】
このような携帯端末は、テレビドアホン１００の子機として利用する一方で、無線通信システムにおける基地局を通じて他の携帯端末と無線通信を行うことも可能である。携帯端末としては、例えば、ＰＨＳ(Personal Handy phone System)、携帯電話、ノート型パーソナルコンピュータ、ＰＤＡ（Personal Digital Assistant）、ゲーム機等様々な電子機器を用いることができるが、ここでは、理解を容易にするためユーザが個別に所有するＰＨＳ端末を挙げ、上記の無線通信システムを説明し、その後でテレビドアホン１００との接続を説明する。
【００７８】
（無線通信システム３００）
図６は、無線通信システム３００を説明するためのシステムブロック図である。かかる無線通信システム３００は、ユーザが所有するＰＨＳ端末３１０と、基地局３２０と、インターネット等のＩＰ通信網３３０と、接続選択サーバ３４０とを含んで構成される。
【００７９】
上記無線通信システム３００においては、ユーザが自己のＰＨＳ端末３１０から他のＰＨＳ端末３５０への通話回線接続を試みた場合、ユーザのＰＨＳ端末３１０の操作に応じて、無線通信可能領域にある基地局３２０との無線通信が確立され、基地局３２０は、図６中（１）に示すように、ＩＰ通信網３３０を介して接続選択サーバ３４０に他のＰＨＳ端末３５０との通信接続を要求する。
【００８０】
そして、接続選択サーバ３４０は、図６中（２）に示すように、他のＰＨＳ端末３５０の無線通信可能領域にある基地局３２０を選定して、通信相手の有する他のＰＨＳ端末３５０との音声通話を設定する。
【００８１】
そして、音声通話に必要な基地局３２０の設定が完了すると、接続選択サーバ３４０は、その音声通話処理を基地局間に渡し、図６中（３）に示すように、ユーザ側および通信相手側の基地局３２０同士が主体となって音声信号の送受を直接行う。このとき、接続選択サーバ３４０は、各ＰＨＳ端末３１０、３５０の通信環境の変化、例えば、ＰＨＳ端末３１０の移動に応じて適切な基地局３２０を割り当てるための待機状態に移行する。
【００８２】
（ＰＨＳ端末３１０）
以下、無線通信システム３００におけるＰＨＳ端末３１０の構成を説明する。かかるＰＨＳ端末３１０は、無線通信システム３００およびテレビドアホン１００のいずれにも接続され、基地局３２０からの着呼があった場合その着信を受け、人が訪ねてきた場合テレビドアホン１００として機能する。ここでは、テレビドアホン１００として機能している状態を簡便のためドアホンモードと呼ぶ。
【００８３】
図７は、ＰＨＳ端末３１０のハードウェア構成を示した機能ブロック図であり、図８は、ＰＨＳ端末３１０の外観を示した斜視図である。ＰＨＳ端末３１０は、端末制御部４１０と、端末メモリ４１２と、端末表示部４１４と、操作部４１６と、端末音声入力部４１８と、端末音声出力部４２０と、無線通信部４２２と、ドアホン通信部４２４とを含んで構成される。
【００８４】
上記端末制御部４１０は、中央処理装置（ＣＰＵ）を含む半導体集積回路によりＰＨＳ端末３１０全体を管理および制御する。端末制御部４１０は、端末メモリ４１２のプログラムを用いて、ＰＨＳ端末３１０を利用した通話機能やメール配信機能も当然にして遂行する。また、ドアホンモードでは、画像認証部１４０、画像変更部１４２、音声認証部１４４、音声変更部１４６、指紋認証部１４８、静脈認証部１５０、虹彩認証部１５２として機能する。このような構成要素は、第１の実施形態で説明した構成要素と実質的に機能が等しいのでここでは詳細な説明を省略する。
【００８５】
上記端末メモリ４１２は、ＲＯＭ、ＲＡＭ、ＥＥＰＲＯＭ、不揮発性ＲＡＭ、フラッシュメモリ、ＨＤＤ（Hard Disk Drive）等で構成され、端末制御部４１０で処理されるプログラムや音声データ等を記憶する。また、ドアホンモードでは、画像記憶部１５４や音声記憶部１５６として機能する。
【００８６】
上記端末表示部４１４は、液晶ディスプレイ、ＥＬ(Electro Luminescence)、ＰＤＰ(Plasma Display Panel)等で構成され、端末メモリ４１２に記憶された、またはＩＰ通信網３３０を介してアプリケーション中継サーバ（図示せず）から提供される、ＷｅｂブラウザやアプリケーションのＧＵＩ（Graphical User Interface）を表示することができる。また、ドアホンモードでは、ドアホン表示部１５８として機能する。
【００８７】
上記操作部４１６は、キーボード、十字キー、ジョイスティック等のスイッチから構成され、ユーザの操作入力を受け付ける。
【００８８】
上記端末音声入力部４１８は、マイク等の音声認識装置で構成され、通話時に入力されたユーザの音声をＰＨＳ端末３１０内で処理可能な電気信号に変換する。また、ドアホンモードでは、屋内音声入力部１６２として機能する。
【００８９】
上記端末音声出力部４２０は、スピーカで構成され、ＰＨＳ端末３１０で受信した通話相手の音声信号を音声に変えて出力する。また、着信音や、操作部４１６の操作音、アラーム音等も出力できる。また、ドアホンモードでは、屋内音声出力部１６２として機能する。
【００９０】
上記無線通信部４２２は、無線通信システム３００における基地局３２０と無線通信を行う。かかる無線通信としては、基地局３２０内でフレームを時分割した複数のタイムスロットをそれぞれＰＨＳ端末３１０のチャネルに割り当てて通信を行う時分割多重方式等がある。
【００９１】
上記ドアホン通信部４２４は、無線ＬＡＮ（Local Area Network）やBluetooth（登録商標）といった上記基地局３２０との無線通信方式と相異する無線通信方式によりテレビドアホン１００の屋内筐体部１１２と無線通信を行う。そして、屋内筐体部１１２を通じて、撮像部１２０で撮像された画像や、屋外音声入力部１２２で入力された音声を受信し、また、端末音声入力部４１８に入力した音声を屋内筐体部１１２に送信する。
【００９２】
このように個人的に利用でき、かつ持ち運び可能なＰＨＳ端末３１０にテレビドアホン１００の屋内筐体部１１２の機能を設けることで、ＰＨＳ端末３１０を移動可能な屋内筐体部１１２として利用することができ、屋内であればたとえ屋内筐体部１１２の固定設置場所と階数が違ったとしても、移動することなく、訪ねてきた人に容易に対応することができる。また、知人と不審者との識別結果から、端末メモリ４１２へ記憶するデータ量を変更することで、端末メモリ４１２の記憶領域を有効活用することが可能となる。
【００９３】
また、既知の人のデータを個別のＰＨＳ端末３１０に記憶することができるので、例えば家族内の各人それぞれが、相異する既知の人のデータを登録することが可能となる。従って、テレビドアホン１００に対応した人が知っているか知らないかで端末メモリ４１２への記憶処理が異なり、より個人的な対応が可能となる。
【００９４】
（第３の実施形態）
第２の実施形態では、テレビドアホン１００の機能を備えたＰＨＳ端末３１０の構成を説明したが、かかる構成をＰＨＳ端末３１０によるテレビ電話に応用することができる。
【００９５】
例えば、他人からテレビ電話の着呼があった場合、取り敢えずそのテレビ電話に対応するが、発呼者が不審者であればその画像や音声を記憶したいといった要望がある。しかし、ＰＨＳ端末３１０は、電子メール作成機能、音楽再生機能、撮像機能、テレビ視聴機能等様々な機能を有しているので、端末メモリ４１２の記憶容量に十分な余裕を有していない。そこで、第１および第２の実施形態で説明した認証結果に応じて記憶する画像のデータ量を最適に変更する機能を、当該テレビ電話に適用することで、ＰＨＳ端末３１０をテレビ電話として利用したときでも端末メモリ４１２の記憶領域を有効活用することが可能となる。
【００９６】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００９７】
本発明は、撮像された画像や入力された音声を記憶する電子機器に利用することができる。
【図面の簡単な説明】
【００９８】
【図１】本実施形態におけるテレビドアホンの配置を示した説明図である。
【図２】本実施形態におけるテレビドアホンの概略的な構成を説明するためのブロック図である。
【図３】本実施形態におけるテレビドアホンの利用形態を説明するための外観斜視図である。
【図４】本実施形態における画像変更部の処理を詳細に説明するためのフローチャート図である。
【図５】本実施形態における音声変更部の処理を詳細に説明するためのフローチャート図である。
【図６】本実施形態における無線通信システムを説明するためのシステムブロック図である。
【図７】本実施形態におけるＰＨＳ端末のハードウェア構成を示した機能ブロック図である。
【図８】本実施形態におけるＰＨＳ端末の外観を示した斜視図である。
【符号の説明】
【００９９】
１００  …テレビドアホン
１２０  …撮像部
１３０  …照明部
１３２  …照度センサ
１４０  …画像認証部
１４２  …画像変更部
１４４  …音声認証部
１４６  …音声変更部
１４８  …指紋認証部
１５０  …静脈認証部
１５２  …虹彩認証部
１５４  …画像記憶部
１５６  …音声記憶部
【図１】
2009081657.tif 000003
【図２】
2009081657.tif 000004
【図３】
2009081657.tif 000005
【図４】
2009081657.tif 000006
【図５】
2009081657.tif 000007
【図６】
2009081657.tif 000008
【図７】
2009081657.tif 000009
【図８】
2009081657.tif 000010